(57)【要約】【課題】外側筒を大型化させずに、外側筒の下半を形成する下半外側部材に対して、内側環における下半を形成する下半内側部材の上下方向の相対位置を調節する。【解決手段】位置調節装置２０は、偏芯ピン２１と押し棒３１とを備える。偏芯ピン２１は、下半外側部材１１ｙの周方向Ｄｃの端部で回転可能に支持される回転軸部２２と、下半内側部材６ｙの周方向Ｄｃの周方向の端部に入り込む偏芯軸部２３を有する。押し棒３１は、下半内側部材６ｙの周方向Ｄｃの端面７ｙから下半内側部材内に入り込んで、下半内側部材内の偏芯軸部２３に接する。回転軸部２２は、水平方向に延びる回転軸線Ａｃを中心として円柱状を成す。偏芯軸部２３は、偏芯軸部２３が入り込む下半内側部材の偏芯軸穴１６の内周面に接する面であって、回転軸線Ａｃと間隔ｄをあけて平行な偏芯軸線Ａｄを中心とした側周面２６と、押し棒３１が接触する棒接触面２７と、が形成されている。【選択図】図３
2015140693.tif 000002
【特許請求の範囲】
【請求項１】
ロータ軸線を中心として筒状の外側筒における下半を形成する下半外側部材に対して、前記外側筒の内周側に配置され、前記ロータ軸線を中心として環状の内側環における下半を形成する下半内側部材の上下方向の相対位置を調節する位置調節装置において、
前記下半外側部材の周方向の端部で回転可能に支持される回転軸部、及び前記下半内側部材の周方向の端部に入り込んで前記回転軸部の回転と一体回転する偏芯軸部を有する偏芯ピンと、
前記下半内側部材の周方向の端面から前記下半内側部材内に入り込んで、前記下半内側部材内の前記偏芯軸部に接触可能な押し棒と、
を備え、
前記回転軸部は、前記ロータ軸線に対して垂直な方向で且つ水平方向に延びる回転軸線を中心として円柱状を成し、
前記偏芯軸部は、前記偏芯軸部が入り込む前記下半内側部材の偏芯軸穴の内周面に接する面であって、前記回転軸線と間隔をあけて平行な偏芯軸線を中心とした側周面と、前記押し棒が接触する棒接触面と、が形成されている、
位置調節装置。
【請求項２】
請求項１に記載の位置調節装置において、
前記押し棒が入り込む前記下半内側部材の棒孔の内周面には雌ネジが形成されており、
前記押し棒には、前記棒孔の前記雌ネジに螺合可能な外周に雄ネジが形成されている、
位置調節装置。
【請求項３】
請求項１又は２に記載の位置調節装置において、
前記押し棒として、前記偏芯軸部中の前記偏芯軸線を基準にして一方側の部分に接する第一押し棒と、前記偏芯軸部中の前記偏芯軸線を基準にして他方側の部分に接する第二押し棒と、を有する、
位置調節装置。
【請求項４】
請求項１から３のいずれか一項に記載の位置調節装置において、
前記偏芯軸部は、前記偏芯軸線を中心として円柱状の円柱部と、前記偏芯軸線を中心として円柱状を成し前記円柱部と同一径の円柱の一部が切り欠かれた切欠き円柱部と、を有し、
前記偏芯軸部の前記側周面は、前記円柱部及び前記切欠き円柱部の側周面であり、
前記偏芯軸部の前記棒接触面は、前記円柱が切り欠かれて形成されている面である、
位置調節装置。
【請求項５】
請求項４に記載の位置調節装置において、
前記偏芯軸部の前記棒接触面は、前記回転軸線に対して垂直な方向で前記円柱が切り欠かれている側から前記側周面側に向かってなだらかに凹んだ曲面である、
位置調節装置。
【請求項６】
請求項１から５のいずれか一項に記載の位置調節装置において、
前記下半外側部材の前記端部に配置され、前記偏芯ピンの前記回転軸部が前記回転軸線回りに回転可能に入り込む回転軸孔が形成されている支持ブロックを備える、
位置調節装置。
【請求項７】
請求項６に記載の位置調節装置において、
前記支持ブロックを前記下半内側部材に固定する固定具を備える、
位置調節装置。
【請求項８】
請求項１から７のいずれか一項に記載の位置調節装置と、
前記外側筒としてのケーシングと、
前記内側環としての静翼環と、
前記ケーシング内に配置され、前記ロータ軸線を中心として回転するロータと、
を備える回転機械。
【請求項９】
請求項１から７のいずれか一項に記載の位置調節装置を用いて、前記下半外側部材に対する前記下半内側部材の上下方向の相対位置を調節する位置調節方法において、
前記下半内側部材の前記偏芯軸穴に、前記偏芯ピンの前記偏芯軸部を挿入し、
前記下半外側部材の周方向の端部で、前記偏芯ピンの前記回転軸部を支持させ、
前記下半内側部材の周方向の端面から前記押し棒を前記下半内側部材内に入れ、前記押し棒の先端で前記偏芯軸部の前記棒接触面を押して、前記偏芯ピンを前記回転軸線を中心として回転させる、
位置調節方法。
【請求項１０】
請求項９に記載の位置調節方法において、
前記偏芯ピンの前記回転軸部が支持される前に、前記下半内側部材を仮支持し、
前記下半内側部材が仮支持されている状態で、前記押し棒により前記偏芯ピンを回転させ、
前記偏芯ピンを回転させてから、前記下半内側部材の仮支持を解除して、前記下半外側部材の周方向の端部で、前記偏芯ピンの前記回転軸部を支持させる、
位置調節方法。
【発明の詳細な説明】
【技術分野】
【０００１】
本発明は、筒状の外側筒における下半を形成する下半外側部材に対して、前記下半外側部材の内周側に配置され、環状の内側環における下半を形成する下半内側部材の上下方向の相対位置を調節する位置調節装置、これを備えている回転機械、及び位置調節方法に関する。
【背景技術】
【０００２】
蒸気タービン、ガスタービンあるいは圧縮機等の回転機械は、ロータ軸と、このロータ軸を中心として円筒状のケーシングと、このケーシングの内周側に配置されロータ軸を中心として環状の静翼環とを備えている。このような回転機械では、その組立等の観点から、円筒状のケーシング及び環状の静翼環は、いずれも、周方向で、複数に分割されている。
【０００３】
以下の特許文献１には、ロータ軸、ケーシング、及び静翼環を備える蒸気タービンが開示されている。この蒸気タービンでは、円筒状のケーシング（又は車室）が上半ケーシングと下半ケーシングとで構成され、静翼環が上半翼環と下半翼環とで構成されている。この蒸気タービンは、さらに、下半ケーシングに対する下半翼環の相対位置を調整する支持金具を備えている。
【０００４】
支持金具は、円柱状の挿入部と、この挿入部に対して偏芯している円柱状の突出部とを有する。下半翼環の周方向の端部には、外周側から内周側に向かって凹む穴が形成され、下半ケーシングの周方向の端部であって、下半翼環の穴に対応する位置に、内周側から外周側に向かって凹む切欠きが形成されている。円柱状の挿入部は、その中心軸を中心として回転可能に下半翼環の穴に挿入され、円柱状の突出部は、下半ケーシングの切欠き内に配置される。
【０００５】
突出部の中心軸を中心として支持金具を回転させると、突出部に対して偏芯している挿入部が突出部の中心軸を中心として公転する。このため、突出部の中心軸を中心として支持金具を回転させると、支持金具の挿入部が挿入されている下半翼環は、下半ケーシングに対して突出部の中心軸に対して垂直な方向に移動する。
【０００６】
特許文献１に記載の技術では、以上のように、突出部の中心軸を中心として支持金具を回転させ、下半ケーシングに対して下半翼環を相対移動させて、下半ケーシングに対する下半翼環の相対位置を調節する。
【先行技術文献】
【特許文献】
【０００７】
【特許文献１】特開昭６３−１７０５０５号公報
【発明の概要】
【発明が解決しようとする課題】
【０００８】
上記特許文献１に記載の技術では、支持金具を回転させるための工具が必要になる。工具としては、例えば、六角レンチが考えられる。この場合、円柱状の突出部の端面に、挿入部側に凹む六角レンチ穴を形成し、この六角レンチ穴に六角レンチの端部を挿入して、この六角レンチを操作して、支持金具を回転させる。このため、上記特許文献１に記載の技術では、支持金具の突出部が配置される下半ケーシングの切欠きの径方向の寸法を大きくして、支持金具の突出部に工具を取り付けるスペースを確保しなければならない。従って、この支持金具を採用すると、工具スペースを確保するために、外側筒を成すケーシングの外径を大きくしなければならない。すなわち、上記特許文献１に記載の技術では、外側筒が大型化するという問題点がある。
【０００９】
そこで、本発明は、外側筒を大型化させずに、外側筒の下半を形成する下半外側部材に対して、内側環における下半を形成する下半内側部材の上下方向の相対位置を調節できる位置調節装置、及びこれを備えている回転機械を提供することを目的とする。
【課題を解決するための手段】
【００１０】
上記問題点を解決するための発明の一態様としての位置調節装置は、
ロータ軸線を中心として筒状の外側筒における下半を形成する下半外側部材に対して、前記外側筒の内周側に配置され、前記ロータ軸線を中心として環状の内側環における下半を形成する下半内側部材の上下方向の相対位置を調節する位置調節装置において、前記下半外側部材の周方向の端部で回転可能に支持される回転軸部、及び前記下半内側部材の周方向の端部に入り込んで前記回転軸部の回転と一体回転する偏芯軸部を有する偏芯ピンと、前記下半内側部材の周方向の端面から前記下半内側部材内に入り込んで、前記下半内側部材内の前記偏芯軸部に接触可能な押し棒と、を備え、前記回転軸部は、前記ロータ軸線に対して垂直な方向で且つ水平方向に延びる回転軸線を中心として円柱状を成し、前記偏芯軸部は、前記偏芯軸部が入り込む前記下半内側部材の偏芯軸穴の内周面に接する面であって、前記回転軸線と間隔をあけて平行な偏芯軸線を中心とした側周面と、前記押し棒が接触する棒接触面と、が形成されている。
【００１１】
当該位置調節装置では、偏芯ピンを回転させることで、偏芯ピンの偏芯軸部が回転軸線を中心として公転するため、下半外側部材に対して偏芯軸部が入り込んでいる下半内側部材を回転軸線に対して垂直な上下方向に相対移動させることができる。また、当該位置調節装置では、下半内側部材の周方向の端面から下半内側部材内に押し棒を入れ、この押し棒を偏芯ピンの棒接触面に押し付けて、この偏芯ピンを回転軸線回りに回転させる。このため、当該位置調節装置では、偏芯ピンを回転軸線回りに回転させるために、偏芯ピンの径方向外側から工具の先端を偏芯ピンに係合させ、この工具を操作する必要がなくなる。よって、当該位置調節装置では、偏芯ピンの径方向外側に工具スペースを確保するために、外側筒の外径を大きくする必要性がない。
【００１２】
ここで、前記位置調節装置において、前記押し棒が入り込む前記下半内側部材の棒孔の内周面には雌ネジが形成されており、前記押し棒には、前記棒孔の前記雌ネジに螺合可能な外周に雄ネジが形成されていてもよい。
【００１３】
当該位置調節装置では、押し棒の捩じ込み量を調節することで、押し棒の押し込み量を変化させ、下半外側部材に対する下半内側部材の上下方向の相対位置を調節できる。このため、当該位置調節装置では、外周に雄ネジが形成されていない単なる棒の押し込み量を調節するよりも、下半外側部材に対する下半内側部材の上下方向の相対位置を容易かつ正確に微調節することができる。しかも、当該位置調節装置では、相対位置の調節作業が終了した時点で、押し棒をそのまま放置しても、押し棒を回さない限り、押し棒の押し込みは変化しない。
【００１４】
また、以上のいずれかの前記位置調節装置において、前記押し棒として、前記偏芯軸部中の前記偏芯軸線を基準にして一方側の部分に接する第一押し棒と、前記偏芯軸部中の前記偏芯軸線を基準にして他方側の部分に接する第二押し棒と、を有してもよい。
【００１５】
当該位置調節装置では、偏芯軸線を基準とする回転方向の一方側と他方側とに、偏芯ピンを回転させることができる。さらに、押し棒の外周に雄ネジが形成されている場合には、相対位置の調節作業が完了した時点で、２本の押し棒をそのまま放置しても、各押し棒を回さない限り、各押し棒の押し込み量が変化しないため、偏芯ピンは回転しない。このため、相対位置の調整作業が完了した後、偏芯ピンの回り止め作業を別途行う必要性がなく、作業時間の短縮化を図ることができる。
【００１６】
また、以上のいずれかの前記位置調節装置において、前記偏芯軸部は、前記偏芯軸線を中心として円柱状の円柱部と、前記偏芯軸線を中心として円柱状を成し前記円柱部と同一径の円柱の一部が切り欠かれた切欠き円柱部と、を有し、前記偏芯軸部の前記側周面は、前記円柱部及び前記切欠き円柱部の側周面であり、前記偏芯軸部の前記棒接触面は、前記円柱が切り欠かれて形成されている面であってもよい。
【００１７】
また、前記偏芯軸部が前記円柱部と前記切欠き円柱部とを有する前記位置調節装置において、前記偏芯軸部の前記棒接触面は、前記回転軸線に対して垂直な方向で前記円柱が切り欠かれている側から前記側周面側に向かってなだらかに凹んだ曲面であってもよい。
【００１８】
当該位置調節装置では、偏芯ピンが回転軸線を中心として回転しても、押し棒の先端と棒接触面との間の接触性を維持することができる。
【００１９】
また、以上のいずれかの前記位置調節装置において、前記下半外側部材の前記端部に配置され、前記偏芯ピンの前記回転軸部が前記回転軸線回りに回転可能に入り込む回転軸孔が形成されている支持ブロックを備えてもよい。
【００２０】
当該位置調節装置では、偏芯ピンを回転軸線回りにスムーズに回転させることができる。
【００２１】
また、前記支持ブロックを備えている前記位置調節装置において、前記支持ブロックを前記下半内側部材に固定する固定具を備えてもよい。
【００２２】
上記問題点を解決するための発明の一態様としての回転機械は、
以上のいずれかの位置調節装置と、前記外側筒としてのケーシングと、前記内側環としての静翼環と、前記ケーシング内に配置され、前記ロータ軸線を中心として回転するロータと、を備える。
【００２３】
上記問題点を解決するための発明の一態様としての位置調節方法は、
以上のいずれかの位置調節装置を用いて、前記下半外側部材に対する前記下半内側部材の上下方向の相対位置を調節する位置調節方法において、前記下半内側部材の前記偏芯軸穴に、前記偏芯ピンの前記偏芯軸部を挿入し、前記下半外側部材の周方向の端部で、前記偏芯ピンの前記回転軸部を回転可能に支持させ、前記下半内側部材の周方向の端面から前記押し棒を前記下半内側部材内に入れ、前記押し棒の先端で前記偏芯軸部の前記棒接触面を押して、前記偏芯ピンを前記回転軸線を中心として回転させる。
【００２４】
ここで、前記位置調整方法において、前記偏芯ピンの前記回転軸部が支持される前に、前記下半内側部材を仮支持し、前記下半内側部材が仮支持されている状態で、前記押し棒により前記偏芯ピンを回転させ、前記偏芯ピンを回転させてから、前記下半内側部材の仮支持を解除して、前記下半外側部材の周方向の端部で、前記偏芯ピンの前記回転軸部を支持させてもよい。
【００２５】
当該方法では、下半内側部材が仮支持されている状態で偏芯ピンを回転させるため、偏芯ピンの下半内側部材の荷重がかからず、偏芯ピンを容易に回転させることができる。
【発明の効果】
【００２６】
本発明では、外側筒を大型化させずに、外側筒の下半を形成する下半外側部材に対して、内側環における下半を形成する下半内側部材の上下方向の相対位置を調節できる。
【図面の簡単な説明】
【００２７】
【図１】本発明に係る一実施形態における蒸気タービンの断面図である。
【図２】図１におけるII−II線断面図である。
【図３】本発明に係る一実施形態における位置調節装置の要部分解斜視図である。
【図４】本発明に係る一実施形態における位置調節装置の断面図である。
【図５】本発明に係る一実施形態における蒸気タービンの組立過程（その１）での位置調節装置周りの断面図である。
【図６】本発明に係る一実施形態における蒸気タービンの組立過程（その２）での位置調節装置周りの断面図である。
【図７】本発明に係る一実施形態における蒸気タービンの組立過程（その３）での位置調節装置周りの断面図である。
【図８】本発明に係る一実施形態における位置調節過程での位置調節装置周りの断面図である。
【図９】本発明に係る一実施形態における下半ケーシングに対して下半翼環が上下方向に相対移動する動作を示す説明図（その１）である。
【図１０】本発明に係る一実施形態における下半ケーシングに対して下半翼環が上下方向に相対移動する動作を示す説明図（その２）である。
【図１１】本発明に係る一実施形態における蒸気タービンの組立過程（その４）での蒸気タービンの断面図である。
【図１２】本発明に係る第一変形例における偏芯ピンの正面図である。
【図１３】本発明に係る第二変形例における偏芯ピンの正面図である。
【発明を実施するための形態】
【００２８】
以下、本発明に係る位置調節装置及びこれを備えている回転機械の一実施形態について、図面を参照して詳細に説明する。
【００２９】
本実施形態の回転機械は、蒸気タービンである。この蒸気タービンは、図１及び図２に示すように、水平方向に延びるロータ軸線Ａｒを中心として回転するロータ１と、ロータ１の外周側に配置されロータ軸線Ａｒを中心として環状の静翼環（内側環）５と、この静翼環５の外周側に配置されロータ軸線Ａｒを中心として筒状のケーシング（外側筒）１０と、ケーシング１０に対する静翼環５の相対位置を調節する位置調節装置２０（図２参照）と、を備えている。
【００３０】
なお、以下では、ロータ軸線Ａｒが延びている方向をロータ軸方向Ｄａとし、ロータ軸線Ａｒを基準にした径方向を単に径方向Ｄｒとする。このロータ軸線Ａｒに対して垂直な方向のうち、鉛直方向を上下方向Ｄｖ、水平方向を左右方向Ｄｈとする。また、ロータ軸線Ａｒ周りの方向を周方向Ｄｃとする。
【００３１】
ロータ１は、ロータ軸線Ａｒを中心としてロータ軸方向Ｄａに延びているロータ軸２と、このロータ軸２に対する周方向Ｄｃに並んでロータ軸２に固定されている複数の動翼３とを有している。
【００３２】
環状の静翼環５には、静翼環５の内周側であってロータ１の動翼３よりも上流側の位置に、周方向Ｄｃに並ぶ複数の静翼９が設けられている。蒸気タービンでは、ロータ軸２の外周側と環状の静翼環５との間の筒状の空間、言い換えると、動翼３及び静翼９が配置されている空間が蒸気流路となる。環状の静翼環５は、ロータ軸２を基準に上側の上半翼環６ｘと、下側の下半翼環（下半内側部材）、６ｙとを有している。上半翼環６ｘ及び下半翼環６ｙは、周方向Ｄｃに延び、それぞれの周方向Ｄｃの端部がボルト等により接続されている。この際、上半翼環６ｘの周方向Ｄｃの端面である分割面７ｘと下半翼環６ｙの周方向Ｄｃの端面である分割面７ｙとが互いに接触する。また、環状のケーシング１０も、ロータ軸２を基準に上側の上半ケーシング１１ｘと、下側の下半ケーシング（下半外側部材）１１ｙとを有している。上半ケーシング１１ｘ及下半ケーシング１１ｙも、周方向Ｄｃに延び、それぞれの周方向Ｄｃの端部がボルト等により互いに接続されている。この際、上半ケーシング１１ｘの周方向Ｄｃの端面である分割面１２ｘと下半ケーシング１１ｙの周方向Ｄｃの端面である分割面１２ｙとが互いに接触する。下半ケーシング１１ｙの周方向Ｄｃの両端部には、内周側から外周側に向かって凹む溝１５が形成されている。この溝１５は、図３及び図４に示すように、上側を向いている溝底面１５ａと、内周側を向いている溝側面１５ｂとで画定されている。
【００３３】
本実施形態では、ケーシング１０が外側筒を成し、下半ケーシング１１ｙが下半外側部材を成す。また、静翼環５が外側環を成し、下半翼環６ｙが下半内側部材を成す。
【００３４】
位置調節装置２０は、図２に示すように、下半ケーシング１１ｙの周方向Ｄｃの一方の端部の溝１５と、他方の端部の溝１５とに配置される。この位置調節装置２０は、図３及び図４に示すように、偏芯ピン２１と、先端が偏芯ピン２１に接する２本の押しボルト（押し棒）３１と、下半ケーシング１１ｙの溝１５内で偏芯ピン２１を回転可能に支持する支持ブロック４１と、この支持ブロック４１を下半翼環６ｙに固定するブロック固定ボルト（固定具）３５と、支持ブロック４１と溝１５の溝底面１５ａとの間に配置される下部ライナ５１と、下部ライナ５１を下半翼環６ｙの溝１５内に固定するライナ固定ボルト５２と、支持ブロック４１の上方に配置される上部ライナ５３と、を備えている。
【００３５】
偏芯ピン２１は、ロータ軸線Ａｒに対して垂直な方向で且つ水平方向に延びる回転軸線Ａｃを中心として円柱状を成す回転軸部２２と、回転軸線Ａｃと間隔あけて平行な偏芯軸線Ａｄを中心とした側周面２６及び押しボルト３１が接触するボルト接触面（棒接触面）２７が形成されている偏芯軸部２３と、を有する。回転軸部２２と偏芯軸部２３とは、一体形成されている。偏芯軸部２３は、偏芯軸線Ａｄを中心として円柱状の円柱部２４と、偏芯軸線Ａｄを中心として円柱状を成し円柱部２４と同一径の円柱の一部が切り欠かれた切欠き円柱部２５と、を有する。切欠き円柱部２５は、半円柱形状を成している。この半円柱で偏芯軸線Ａｄを含む平面がボルト接触面２７を成す。また、偏芯軸部２３の側周面２６は、円柱部２４の側周面及び切欠き円柱部２５の側周面である。
【００３６】
押しボルト３１は、その長手方向の一方の端部に、例えば、六角レンチの先端が入り込む六角レンチ穴３２（図４参照）等が形成されている。この押しボルト３１は、１つの偏芯ピン２１に対して２つある。
【００３７】
ブロック固定ボルト３５は、ネジ部３６とボルト頭部３７とを有する。ネジ部３６には、雄ネジが形成されている。ボルト頭部３７には、例えば、六角レンチの先端が入り込む六角レンチ穴３８（図４参照）等が形成されている。
【００３８】
支持ブロック４１は、偏芯ピン２１の回転軸部２２が回転可能に挿入される円柱状の回転軸孔４３が形成されているピン支持部４２と、ブロック固定ボルト３５のネジ部３６が挿通されるボルト挿通孔４６及びボルト頭部３７が入り込む頭部収納穴４７が形成されている固定部４５と、を有する。固定部４５は、ピン支持部４２に対して上方に位置し、このピン支持部４２と一体形成されている。回転軸孔４３は、ピン支持部４２を左右方向Ｄｈに貫通している。また、頭部収納穴４７は、固定部４５の外面から左右方向Ｄｈに凹んでいる。ボルト挿通孔４６は、固定部４５の頭部収納穴４７の底面からこの固定部４５を左右方向Ｄｈに貫通している。頭部収納穴４７の内径は、ブロック固定ボルト３５のボルト頭部３７の外径よりも大きい。また、ボルト挿通孔４６の内径は、ブロック固定ボルト３５のネジ部３６の外径よりも大きい。このため、支持ブロック４１のボルト挿通孔４６にブロック固定ボルト３５のネジ部３６が完全に挿通された状態でも、ブロック固定ボルト３５は、その軸に垂直な方向に、支持ブロック４１に対して多少相対移動可能である。
【００３９】
支持ブロック４１の固定部４５における左右方向Ｄｈの幅は、支持ブロック４１のピン支持部４２における左右方向Ｄｈの幅よりも小さい。また、この固定部４５における左右方向Ｄｈの幅は、下半ケーシング１１ｙの溝１５における左右方向Ｄｈの幅より若干短いが、この溝１５における左右方向Ｄｈの幅とほぼ同じである。固定部４５における左右方向Ｄｈの下半翼環６ｙ側の面とピン支持部４２における左右方向Ｄｈの下半翼環６ｙ側の面とは面一である。このため、支持ブロック４１を下半ケーシング１１ｙの溝１５内に収めると、固定部４５における左右方向Ｄｈの下半ケーシング１１ｙ側と溝１５の溝側面１５ｂとの間に隙間が生じる。上部ライナ５３は、この隙間に配置される。この際、上部ライナ５３の上面は、下半ケーシング１１ｙの分割面１２ｙと実質的に面一である。一方、下部ライナ５１における左右方向Ｄｈの幅は、下半ケーシング１１ｙの溝１５における左右方向Ｄｈの幅と同じである。この下部ライナ５１は、前述したように、支持ブロック４１のピン支持部４２と溝１５の溝底面１５ａとの間に配置される。
【００４０】
下半翼環６ｙの周方向Ｄｃの端部には、偏芯ピン２１の偏芯軸部２３が回転可能に入り込む円柱状の偏芯軸穴１６と、押しボルト３１が張り込む押しボルト孔（棒孔）１７と、ブロック固定ボルト３５のネジ部３６が螺合可能な固定ボルト穴１９とが形成されている。偏芯軸穴１６は、下半翼環６ｙの外周から左右方向Ｄｈにおけるロータ軸２側に凹んでいる。押しボルト孔１７は、下半翼環６ｙの分割面７ｙから鉛直下方に向かって凹み、偏芯軸穴１６に連通している。この押しボルト孔１７の内周面には、押しボルト３１が螺合可能な雌ネジ１８が形成されている。この押しボルト孔１７は、押しボルト３１の数量と同じく、１つの偏芯軸穴１６に対して２つ形成されている。２つの押しボルト孔１７のうち、一方の押しボルト孔１７は、偏芯軸線Ａｄを基準にしてロータ軸方向Ｄａの一方側に形成され、他方の押しボルト孔１７は、偏芯軸線Ａｄを基準にしてロータ軸方向Ｄａの他方側に形成されている。固定ボルト穴１９は、下半翼環６ｙの外周から左右方向Ｄｈにおけるロータ軸２側に凹んでいる。よって、この固定ボルト穴１９が凹んでいる方向と偏芯軸穴１６が凹んでいる方向とは同じである。この固定ボルト穴１９の内周面には、ブロック固定ボルト３５のネジ部３６が螺合可能な雌ネジが形成されている。
【００４１】
次に、蒸気タービンの組立方法、及び位置調節装置を用いた下半ケーシング１１ｙに対する下半翼環６ｙの相対位置の調節方法について説明する。
【００４２】
まず、図５に示すように、下半翼環６ｙに偏芯ピン２１を取り付けると共に、下半翼環６ｙに支持ブロック４１を仮固定する。この際、下半翼環６ｙの偏芯軸穴１６に偏芯ピン２１の偏芯軸部２３を挿入する。次に、この偏芯ピン２１の回転軸部２２を支持ブロック４１の回転軸孔４３に挿入する。そして、支持ブロック４１のボルト挿通孔４６にブロック固定ボルト３５のネジ部３６を挿通させ、このネジ部３６を下半翼環６ｙの固定ボルト穴１９に軽く捩じ込む。この段階では、ブロック固定ボルト３５のネジ部３６を下半翼環６ｙの固定ボルト穴１９にしっかりと捩じ込まず、ブロック固定ボルト３５が延びている方向に垂直な方向に対して、支持ブロック４１が多少相対移動可能な状態にしておく。なお、ここでは、下半翼環６ｙの偏芯軸穴１６に偏芯ピン２１の偏芯軸部２３を挿入してから、この偏芯ピン２１の回転軸部２２を支持ブロック４１の回転軸孔４３に挿入しているが、逆に、偏芯ピン２１の回転軸部２２を支持ブロック４１の回転軸孔４３に挿入してから、下半翼環６ｙの偏芯軸穴１６に偏芯ピン２１の偏芯軸部２３を挿入してもよい。
【００４３】
次に、図６に示すように、下半ケーシング１１ｙの溝１５の溝底面１５ａに、ライナ固定ボルト５２を用いて下部ライナ５１を固定する。
【００４４】
次に、図７に示すように、偏芯ピン２１及び支持ブロック４１が取り付けられている下半翼環６ｙを、下部ライナ５１が取り付けられている下半ケーシング１１ｙに組み込む。下半翼環６ｙを下半ケーシング１１ｙに組み込んだ状態では、下半翼環６ｙは、偏芯ピン２１、支持ブロック４１及び下部ライナ５１を介して、下半ケーシング１１ｙに支持されていている。
【００４５】
次に、図８に示すように、ダイヤルゲージ９０をセットしてから、下半翼環６ｙの押しボルト孔１７に押しボルト３１を捻じ込む。ダイヤルゲージ９０のセットでは、ゲージスタンド９１にダイヤルゲージ９０を取り付け、ゲージスタンド９１を下半ケーシング１１ｙの分割面１２ｙ上に置くと共に、ダイヤルゲージ９０の測定子を下半翼環６ｙの分割面７ｙに接触させて、ダイヤルゲージ９０で下半ケーシング１１ｙに対する下半翼環６ｙの上下方向Ｄｖに相対位置ズレ量を検知できるようにする。押しボルト孔１７への押しボルト３１の捩じ込みでは、押しボルト３１の六角レンチ穴３２に六角レンチの先端を差し込んで、押しボルト３１を回転させる。
【００４６】
次に、ダイヤルゲージ９０が示す下半ケーシング１１ｙの分割面１２ｙに対する下半翼環６ｙの分割面７ｙのズレ量を確認しつつ、２本の押しボルト３１の押しボルト孔１７へのそれぞれの捩じ込み量を適宜調節する。２本の押しボルト３１のそれぞれを押しボルト孔１７へ捩じ込むと、図９及び図１０に示すように、押しボルト３１の先端が偏芯ピン２１のボルト接触面２７に接触する。その上で、２本の押しボルト３１の押しボルト孔１７へのそれぞれの捩じ込み量を調節すると、偏芯ピン２１のボルト接触面２７が押しボルト３１に押されて、偏芯ピン２１の偏芯軸部２３が偏芯軸線Ａｄを中心として回転する。また、偏芯ピン２１の回転軸部２２も、偏芯軸部２３と一体形成されているため、偏芯軸線Ａｄを中心として回転する。この回転軸部２２は、偏芯軸線Ａｄを中心として回転する過程で、支持ブロック４１の回転軸孔４３内で回転する。ところで、回転軸部２２及び支持ブロック４１は、下半ケーシング１１ｙに支持されているため、下半ケーシング１１ｙに対して相対移動しない。従って、偏芯軸部２３は、下半ケーシング１１ｙに対して相対移動しない回転軸部２２を基準にすると、回転軸部２２の回転に伴って、この回転軸部２２の回転軸線Ａｃを中心として公転することになる。このため、偏芯軸部２３が入り込んでいる下半翼環６ｙは、この偏芯軸部２３の公転に伴って回転軸線Ａｃに対して垂直な方向に移動する。一方、偏芯ピン２１の回転軸部２２及び支持ブロック４１は、前述したように、下半ケーシング１１ｙに対して相対移動しない。なお、支持ブロック４１は、図８に示すように、ブロック固定ボルト３５により下半翼環６ｙに取り付けられているものの、前述したように、この支持ブロック４１は下半翼環６ｙに対して多少相対移動可能に仮固定されているため、下半翼環６ｙに対して相対移動し、下半ケーシング１１ｙに対して相対移動しない。
【００４７】
２本の押しボルト３１の押しボルト孔１７へのそれぞれの捩じ込み量の調節の結果、ダイヤルゲージ９０が示すズレ量、すなわち、下半ケーシング１１ｙに対する下半翼環６ｙの上下方向Ｄｖの相対位置のズレ量が目的のズレ量以内に収まると、２本の押しボルト３１の先端のそれぞれが偏芯ピン２１のボルト接触面２７に確実に接触するよう、２本の押しボルト３１のそれぞれを多少捩じ込む。この結果、偏芯ピン２１は、回転軸線Ａｃに対して回転不能になる。そして、ブロック固定ボルト３５を下半翼環６ｙにしっかりと捩じ込み、支持ブロック４１を下半翼環６ｙにしっかりと固定する。
【００４８】
次に、図４に示すように、固定部４５における左右方向Ｄｈの下半ケーシング１１ｙ側と下半ケーシング１１ｙの溝１５の溝側面１５ｂとの間の隙間に、上部ライナ５３を配置する。
【００４９】
以上で、下半ケーシング１１ｙに対する下半翼環６ｙの上下方向Ｄｖの相対位置調節が完了する。
【００５０】
なお、２つの位置調節装置２０の操作による下半ケーシング１１ｙに対する下半翼環６ｙの相対位置調節作業は、一方の位置調節装置２０の操作による調節作業と他方の位置調節装置２０の操作による調節作業とを併行して行ってもよいし、一方の位置調節装置２０の操作による調節作業が完了した後、他方の位置調節装置２０の操作による調節作業を行ってもよい。
【００５１】
次に、図１１に示すように、下半翼環６ｙが組み込まれた下半ケーシング１１ｙにロータ１を組み込む。このロータ１は、下半ケーシング１１ｙに取り付けられている軸受（図示されていない）を介して、下半ケーシング１１ｙに回転可能に支持される。
【００５２】
次に、図２に示すように、上半翼環６ｘの分割面７ｘと下半翼環６ｙの分割面７ｙとが接するよう、上半翼環６ｘを下半翼環６ｙ上におき、この上半翼環６ｘの周方向Ｄｃの端部と下半翼環６ｙの周方向Ｄｃの端部とをボルト等により接続する。
【００５３】
次に、上半ケーシング１１ｘの分割面１２ｘと下半ケーシング１１ｙの分割面１２ｙとが接するよう、上半ケーシング１１ｘを下半ケーシング１１ｙ上におき、この上半ケーシング１１ｘの周方向Ｄｃの端部と下半ケーシング１１ｙの周方向Ｄｃの端部とをボルト等により接続する。
【００５４】
以上で、蒸気タービンの組立が完了する。
【００５５】
なお、以上では、下半ケーシング１１ｙに対する下半翼環６ｙの上下方向Ｄｖの相対位置調節が完了した後、下半翼環６ｙが組み込まれた下半ケーシング１１ｙにロータ１を組み込む。しかしながら、偏芯ピン２１及び支持ブロック４１が取り付けられている下半翼環６ｙを下半ケーシング１１ｙに組み込んだ後であって、下半ケーシング１１ｙに対する下半翼環６ｙの上下方向Ｄｖの相対位置調節が完了する前に、下半ケーシング１１ｙにロータを組み込んでもよい。
【００５６】
以上のように、本実施形態では、下半翼環６ｙの分割面７ｙから下半翼環６ｙ内に入り込む押しボルト３１を偏芯ピン２１のボルト接触面２７に押し付けて、この偏芯ピン２１を回転軸線Ａｃ回りに回転させている。このため、本実施形態では、偏芯ピン２１を回転軸線Ａｃ回りに回転させるために、偏芯ピン２１の径方向外側から工具の先端を偏芯ピン２１に係合させ、この工具を操作する必要がなくなる。よって、本実施形態では、偏芯ピン２１の径方向外側に工具スペースを確保するために、溝１５の寸法を大きくすることや、ケーシング１０の外径を大きくする必要性がない。すなわち、本実施形態では、ケーシング１０を大型化せずに、下半ケーシング１１ｙに対する下半翼環６ｙの上下方向Ｄｖの相対位置を調節することができる。
【００５７】
また、本実施形態では、押しボルト３１の捩じ込み量を調節することで、下半ケーシング１１ｙに対する下半翼環６ｙの上下方向Ｄｖの相対位置を調節できる。このため、本実施形態では、外周に雄ネジが形成されていない単なる棒の押し込み量を調節するよりも、下半ケーシング１１ｙに対する下半翼環６ｙの上下方向Ｄｖの相対位置を容易かつ正確に微調節することができる。
【００５８】
さらに、本実施形態では、２本の押しボルト３１のそれぞれを下半翼環６ｙに捩じ込みつつ、下半ケーシング１１ｙに対する下半翼環６ｙの上下方向Ｄｖの相対位置を調節するので、調整完了すれば、偏芯ピン２１が２本の押しボルト３１で回転不能になる。このため、本実施形態では、偏芯ピン２１の回り止め作業を別途行う必要性がなく、作業時間の短縮化を図ることができる。
【００５９】
「偏芯ピンの第一変形例」
図１２を参照して、偏芯ピンの第一変形例について説明する。
【００６０】
本変形例の偏芯ピン２１aも、以上の実施形態の偏芯ピン２１と同様、回転軸線Ａｃを中心として円柱状を成す回転軸部２２と、偏芯軸線Ａｄを中心とした側周面２６及び押しボルト３１が接触するボルト接触面２７ａが形成されている偏芯軸部２３ａと、を有する。以上の実施形態では、偏芯軸線Ａｄを含む平面がボルト接触面２７を成すが、本変形例では、偏芯軸線Ａｄに平行であるものの、この偏芯軸線Ａｄを含まない平面がボルト接触面２７ａを成す。
【００６１】
このように、ボルト接触面２７ａは、偏芯軸線Ａｄを含まない平面であってもよい。
【００６２】
「偏芯ピンの第二変形例」
図１３を参照して、偏芯ピンの第二変形例について説明する。
【００６３】
本変形例の偏芯ピン２１ｂも、以上の実施形態の偏芯ピン２１と同様、回転軸線Ａｃを中心として円柱状を成す回転軸部２２と、偏芯軸線Ａｄを中心とした側周面２６及び押しボルト３１が接触するボルト接触面２７ｂが形成されている偏芯軸部２３ｂと、を有する。以上の実施家形態及び第一変形例では、ボルト接触面２７，２７ａが平面であるが、本変形例では、ボルト接触面２７ｂが偏芯ピン２１ｂの切り欠かれている側から側周面２６側に向かってなだらかに凹んだ曲面である。
【００６４】
このように、ボルト接触面２７ｂをなだらかに凹んだ曲面にすることで、偏芯ピン２１ｂが回転軸線Ａｃを中心として回転しても、押しボルト３１の先端とボルト接触面２７ｂとの間の接触性を維持することができる。
【００６５】
「その他の変形例」
以上の実施形態では、棒孔である押しボルト孔１７の内周面に雌ネジ１８が形成され、押し棒である押しボルト３１には、この押しボルト孔１７に螺合する雄ネジが形成されている。しかしながら，棒孔の内周面に雌ネジが形成されておらず、且つ押し棒に雄ネジが形成されていなくてもよい。
【００６６】
このような押し棒を用いても、偏芯ピンの棒接触面を押し棒で押すことができるので、以上の実施形態と同様に、ケーシング１０を大型化せずに、下半ケーシング１１ｙに対する下半翼環６ｙの上下方向Ｄｖの相対位置を調節することができる。
【００６７】
但し、このような押し棒を用いる場合、押し棒の捩じ込み量の調節による下半ケーシング１１ｙに対する下半翼環６ｙの上下方向Ｄｖの相対位置の調節を行うことができないので、この相対位置を正確に微調節することが難しくなる。また、このような押し棒を用いる場合、調整完了後に、押し棒を移動不能に固定する作業、又は偏芯ピン２１の回り止め作業を別途行う必要がある。
【００６８】
以上の実施形態では、押し棒である押しボルト３１を２本用いている。しかしながら、押し棒は、１本でもよい。但し、この場合、偏芯ピン２１の回転方向が一方向に限定される。
【００６９】
また、偏芯ピン２１を回転させる前に、クレーン等を用いて、下半翼環６ｙをロータ１に接触しない程度にわずかに吊り上げた状態としておき、つまり、下半翼環６ｙを仮支持しておき、この状態で偏芯ピン２１を回転させてもよい。その後、下半翼環６ｙの仮支持を解除し、回転軸部２２及び支持ブロック４１を、下半ケーシング１１ｙの下部ライナ５１に支持させてもよい。このような方法によれば、偏芯ピン３１を回転させて調節する際に偏芯ピン３１に下半翼環６ｙの荷重がかからず偏芯ピン３１の回転が容易となり押しボルト３１の捻じ込みが容易となる。
【００７０】
以上の実施形態の位置調節装置２０は、蒸気タービンにおける下半ケーシング１１ｙに対する下半翼環６ｙの相対位置を定めている。しかしながら、本発明は、これに限定されず、ロータ軸線を中心として回転するロータと、このロータ軸線を中心として筒状の外側筒と、外側筒の内周側に配置されロータ軸線を中心として環状の内側環とを有し、外側筒及び内側環のそれぞれが上半と下半とに分割できるものであれば、ガスタービンや圧縮機等、他の回転機械に適用してもよい。
【符号の説明】
【００７１】
１：ロータ、２：ロータ軸、３：動翼、５：静翼環（内側環）、６ｘ：上半翼環、６ｙ：下半翼環（下半内側部材）、７ｘ，７ｙ：分割面（周方向の端面）、９：静翼、１０：ケーシング（外側筒）、１１ｘ：上半ケーシング、１１ｙ：下半ケーシング（下半外側部材）、１２ｘ，１２ｙ：分割面、１５：溝、１６：偏芯軸穴、１７：押しボルト孔（棒孔）、１８：雌ネジ、１９：固定ボルト孔、２０：位置調節装置、２１，２１ａ，２１ｂ：偏芯ピン、２２：回転軸部、２３，２３ａ，２３ｂ：偏芯軸部、２４：円柱部、２５：切欠き円柱部、２６：側周面、２７,２７ａ，２７ｂ：ボルト接触面（棒接触面）、３１：押しボルト（押し棒）、３５：ブロック固定ボルト（固定具）、４１：支持ブロック、４３：回転軸孔、４６：ボルト挿通孔、４７：頭部収納穴、５１：下部ライナ、５３：上部ライナ
【図１】
2015140693.tif 000003
【図２】
2015140693.tif 000004
【図３】
2015140693.tif 000005
【図４】
2015140693.tif 000006
【図５】
2015140693.tif 000007
【図６】
2015140693.tif 000008
【図７】
2015140693.tif 000009
【図８】
2015140693.tif 000010
【図９】
2015140693.tif 000011
【図１０】
2015140693.tif 000012
【図１１】
2015140693.tif 000013
【図１２】
2015140693.tif 000014
【図１３】
2015140693.tif 000015